(57)【特許請求の範囲】
【請求項１】
第１の家具部分（２）に第２の家具部分（３）を取り付けるための接続ピン（９）であって、
前記接続ピン（９）を前記第１の家具部分（２）に取り付けるための取付け区分（１９）と、
前記接続ピン（９）を前記第２の家具部分（３）に取り付けるための保持区分（１０）と、
を含む接続ピン（９）において、
前記接続ピン（９）の前記保持区分（１０）は、前記第２の家具部分（３）を前記接続ピン（９）に形状接続的に接続するための、突起（２７ａ，２７ｂ）または凹部（２７ｃ）の形態の、前記取付け区分（１９）側の接続部材（１１）と、ネック（１２）を介して前記接続ピン（９）の長手方向（Ｌ）で間隔を置いて位置する頭部（１３）とを有しており、前記接続ピン（９）が前記取付け区分（１９）を介して前記第１の家具部分（２）に取り付けられている状態で、選択的に少なくとも２つの異なる第２の家具部分（３）が、前記接続部材（１１）によって形状接続的に、かつ／または前記頭部（１３）によって摩擦接続的に、前記接続ピン（９）に接続可能であり、
前記接続部材（１１）は、好適にはウェブとして形成されている第１の突起（２７ａ）と、好適にはウェブとして形成されている少なくとも１つの第２の突起（２７ｂ）とを有しており、この場合、前記第１の突起（２７ａ）と前記第２の突起（２７ｂ）とはそれぞれ前記接続ピン（９）から横方向に突出しており、前記接続ピン（９）の長手方向（Ｌ）で、好適には円筒状の区分の凹部（２７ｃ）によって互いに離間されている、
ことを特徴とする、第１の家具部分（２）に第２の家具部分（３）を取り付けるための接続ピン（９）。
【請求項２】
前記取付け区分（１９）は、前記接続ピン（９）を前記第１の家具部分（２）に取り付けるためのねじ山（２１）を有している、請求項１記載の接続ピン。
【請求項３】
前記取付け区分（１９）は、前記接続ピン（９）を前記第１の家具部分（２）に取り付けるためのダボ（２０）を有している、請求項１記載の接続ピン。
【請求項４】
前記ダボ（２０）は、前記保持区分（１０）にジョイント軸（２２）を介して旋回可能に接続されており、前記接続ピン（９）は、前記ダボ（２０）を拡開するための拡開部分（２３）を有していて、前記拡開部分（２３）は、前記ジョイント軸（２２）を中心とした前記保持区分（１０）の旋回運動により移動可能であり、これにより前記ダボ（２０）が拡開位置へと移動可能であり、これにより前記第１の家具部分（２）に設けられた孔（２６）の内側でロック可能である、請求項３記載の接続ピン。
【請求項５】
前記ダボ（２０）は、前記保持区分（１０）と共に一体に形成されている、請求項３記載の接続ピン。
【請求項６】
前記接続部材（１１）は、前記取付け区分（１９）に取り外し可能に、好適にはスナップ結合部（２４）により接続可能である、請求項１から４までのいずれか１項記載の接続ピン。
【請求項７】
前記第１の突起（２７ａ）および／または前記第２の突起（２７ｂ）および／または前記凹部（２７ｃ）および／または前記頭部（１３）は、前記接続ピン（９）の長手方向軸線（Ｌ）を中心として回転対称的に形成されている、請求項１から６までのいずれか１項記載の接続ピン。
【請求項８】
前記円筒状の区分の凹部（２７ｃ）は、前記第１の突起（２７ａ）および前記第２の突起（２７ｂ）に対して減じられた直径を有している、請求項１から７までのいずれか１項記載の接続ピン。
【請求項９】
前記第１の突起（２７ａ）および／または前記第２の突起（２７ｂ）はリング状ウェブとして形成されていて、前記凹部（２７ｃ）はリング状溝として形成されている、請求項１から８までのいずれか１項記載の接続ピン。
【請求項１０】
前記頭部（１３）は、前記ネック（１２）よりも大きな直径を有している、請求項１から９までのいずれか１項記載の接続ピン。
【請求項１１】
フロントパネル（２ａ）の形態の第１の家具部分（２）、および、引出し壁（３ａ）および／または引出しレール（３ｂ）および／または引出し壁（１５）上に載置される壁エレメント（３ｃ）の形態の第２の家具部分（３）と、前記引出し壁（３ａ）、前記引出しレール（３ｂ）、または前記壁エレメント（３ｃ）を前記フロントパネル（２ａ）に選択的に接続するための請求項１から１０までのいずれか１項記載の接続ピン（９）とを有している、装置。
【請求項１２】
前記引出し壁（３ａ）および／または前記引出しレール（３ｂ）および／または前記壁エレメント（３ｃ）は、前記フロントパネル（２ａ）に取り付けるための少なくとも１つの第２の取付け装置（８ｂ）を有しており、前記第２の取付け装置（８ｂ）は、ばね弾性的な、またはばねによって負荷された少なくとも１つの係止エレメント（１４）を有していて、前記係止エレメントは、前記接続ピン（９）の前記保持区分（１０）に取り外し可能に接続可能、好適には係止可能である、請求項１１記載の装置。
【請求項１３】
前記接続ピン（９）は、挿入方向（２９）で前記第２の取付け装置（８ｂ）内に導入可能であって、前記係止エレメント（１４）は、前記接続ピン（９）が前記第２の取付け装置（８ｂ）内に進入することにより、前記挿入方向（２９）に対して横方向に延びる方向で前記係止エレメントのばね作用に抗して移動可能であり、前記接続ピン（９）は、挿入方向（２９）での前進運動により、前記係止エレメント（１４）のばね作用により自動的に係止されるようになっている、請求項１２記載の装置。
【請求項１４】
引出しセットであって、以下の異なる３つの第２の家具部分（３）、すなわち：
フロントパネル（２ａ）に取り付けるための第１の取付け装置（８ａ）と、前記フロントパネル（２ａ）に取り付けるための少なくとも１つの第２の取付け装置（８ｂ）とを備えた第１の引出し壁（３ａ）、
前記第１の引出し壁（３ａ）よりも低い高さを有している第２の引出し壁（１５）であって、フロントパネル（２ａ）に取り付けるための第１の取付け装置（８ａ）を有しており、組み付け状態で前記第２の引出し壁（１５）の上方に配置される、前記フロントパネル（２ａ）に取り付けるための引出しレール（３ｂ）を備え、前記引出しレール（３ｂ）は、前記フロントパネル（２ａ）に取り付けるための第２の取付け装置（８ｂ）を有している、第２の引出し壁（１５）、
前記第１の引出し壁（３ａ）よりも低い高さを有している第３の引出し壁（１５）であって、前記第３の引出し壁（１５）上には壁エレメント（３ｃ）が載置されており、前記第３の引出し壁（１５）は、フロントパネル（２ａ）に取り付けるための第１の取付け装置（８ａ）を有しており、前記壁エレメント（３ｃ）は前記フロントパネル（２ａ）に取り付けるための第２の取付け装置（８ｂ）有している、第３の引出し壁（１５）、
のうちの少なくとも２つと、
特に請求項１から１０までのいずれか１項記載の接続ピン（９）であって、前記接続ピン（９）はフロントパネル（２ａ）に取り付けることができ、かつ少なくとも１つの保持区分（１０）を有している接続ピン（９）と、
を有している引出しセットにおいて、
前記接続ピン（９）の同一の保持区分（１０）が、前記３つの異なる第２の家具部分（３）のうちの少なくとも２つの第２の家具部分（３）の前記第２の取付け装置（８ｂ）に選択的に接続可能であることを特徴とする、引出しセット。
【発明の詳細な説明】
【技術分野】
【０００１】
本発明は、第１の家具部分に第２の家具部分を取り付けるための接続ピンであって、
接続ピンを第１の家具部分に取り付けるための取付け区分と、
接続ピンを第２の家具部分に取り付けるための保持区分と、
を含む接続ピンに関する。
【０００２】
本発明はさらに、フロントパネルの形態の第１の家具部分、および／または、引出しレールおよび／または引出し壁および／または引出し壁上に載置される壁エレメントの形態の第２の家具部分と、上述した形式の接続ピンとを有している、装置に関する。
【０００３】
さらに本発明は、接続ピン、第１の引出し壁および／または引出しレールおよび／または第１の引出し壁よりも低い高さを有する第２の引出し壁であって、この第２の引出し壁上には壁エレメントが載置されている第２の引出し壁から成る引出しセットに関する。
【０００４】
本出願人による独国実用新案第２０２０１６１０１２８５号明細書（DE 20 2016 101 285 U1）には、家具の取付け具を家具部分に組み付けるための装置が示されており、この場合、ピンが家具部分に予め取り付け可能であって、家具の取付け具は係止装置を介して予め取り付けられたピンに係止可能である。
【０００５】
独国特許発明第１０２２９３００号明細書（DE 102 29 300 B3）には、家具部分のための接続システムが開示されており、この接続システムは、ブシュと、このブシュに取り外し可能に接続可能なダボと、ダボを拡張させるための拡張体とを有している。ブシュはこの場合、第１の家具部分の第１の孔内に装着可能であり、ダボの先細りしているネックを、ブシュの凹部内に挿入することができ、これによりブシュは第１の孔内でロック可能である。ダボをさらに、第２の家具部分の第２の孔内に導入することができ、この第２の孔において、拡張栓により拡開可能であり、これにより全体として両家具部分間には堅固な結合が形成される。
【０００６】
本発明の課題は、様々な使用可能性を備えた冒頭で述べた形式の接続ピンを提供することである。
【０００７】
本発明によればこの課題は、請求項１の特徴部により解決される。本発明のさらに好適な構成は、従属請求項に記載されている。
【０００８】
本発明によれば、すなわち、接続ピンの保持区分が、第２の家具部分を接続ピンに形状接続的に接続するための、突起または凹部の形態の、取付け区分側の接続部材と、ネックを介して接続ピンの長手方向で間隔を置いて位置する頭部と、を有しており、接続ピンが取付け区分を介して第１の家具部分に取り付けられている状態で、選択的に少なくとも２つの異なる第２の家具部分が、接続部材によって形状接続的に、かつ／または頭部によって摩擦接続的に、接続ピンに接続可能であるようになっている。
【０００９】
提案された、接続部材と頭部とを備えた接続ピンによれば、すなわち、少なくとも２つの異なる構成の第２の家具部分、例えば第１の引出し壁、引出しレール、および／または第２の引出し壁上に載置される壁エレメントを、選択的に、形状接続的にかつ／または摩擦接続的に、例えばフロントパネルの形態の第１の引出し壁に接続することができる。
【００１０】
接続ピンの接続部材はすなわち、少なくとも１つの突起または少なくとも１つの凹部を有しており、この突起または凹部により、第２の家具部分の協働する対応輪郭によって、接続ピンと第２の家具部分との間の形状接続的な接続を形成することができる。場合によっては、この形状接続的な接続は、別の構成部分によっても形成することができる。この形状接続的な接続は、ばねエレメントの力によっても保証することができ、これにより形状接続的な接続の耐荷重性を付加的に高めることができる。
【００１１】
本発明のさらなる詳細および利点は、図示した実施例につき説明する。
【図面の簡単な説明】
【００１２】
【図１ａ】第１の引出しの部分領域を上方から見た斜視図である。
【図１ｂ】第１の引出しの部分領域を上方から見た別の斜視図である。
【図２ａ】第２の引出しの部分領域を上方から見た斜視図である。
【図２ｂ】第２の引出しの部分領域を上方から見た別の斜視図である。
【図３ａ】第３の引出しの部分領域を上方から見た斜視図である。
【図３ｂ】第３の引出しの部分領域を上方から見た別の斜視図である。
【図４】様々な第２の家具部分および様々な接続ピンを示す図である。
【図５】１つの接続ピンの実施例を示す斜視図である。
【図６ａ】引出し壁の形態の家具部分を、この家具部分に係止された接続ピンと共に示す図である。
【図６ｂ】引出し壁の形態の家具部分を、この家具部分に係止された接続ピンと共に示す図である。
【図６ｃ】引出しレールの形態の家具部分を、この家具部分に係止された接続ピンと共に示す図である。
【図６ｄ】引出しレールの形態の家具部分を、この家具部分に係止された接続ピンと共に示す図である。
【図６ｅ】壁エレメントの形態の家具部分を、この家具部分に係止された接続ピンと共に示す図である。
【図６ｆ】壁エレメントの形態の家具部分を、この家具部分に係止された接続ピンと共に示す図である。
【図７ａ】低い引出し壁およびその上に配置される壁エレメントの前方の端部領域を示す図である。
【図７ｂ】壁エレメントの組付けを時系列で示す図である。
【図７ｃ】壁エレメントの組付けを時系列で示す図である。
【図７ｄ】壁エレメントの組付けを時系列で示す図である。
【００１３】
図１ａには、第１の引出し１の部分領域が示されており、この第１の引出しは、引出し底面５と、フロントパネル２ａの形態の第１の家具部分２と、引出し壁３ａの形態の第２の家具部分３と、背壁４とを有している。引出し壁３ａは、中空室成形体として形成されていて、内側の成形壁と外側の成形壁とを有しており、図１ａでは中空室成形体は、見易さのために示されていない。引出し壁３ａは、突起６ａを有した背壁ホルダ６を有しており、突起は組み付け状態で、背壁４に設けられた対応する開口１６（図３ａ）に係合する。さらに、引出し壁３ａは第１の取付け装置８ａを有しており、この第１の取付け装置は、欧州特許出願公開第０７４０９１７号明細書（EP 0 740 917 A1）により公知であるように、フロントパネル２ａに取り付けるべき保持部分７に取り外し可能に係止可能である。引出し壁３ａはさらに、第２の取付け装置８ｂを含み、第２の取付け装置は、組付け位置で、第１の取付け装置８ａよりも高い位置に配置されている。第２の取付け装置８ｂは、フロントパネル２ａに取り付けるべきである予め取り付けられた接続ピン９に、形状接続的にかつ／または摩擦接続的に接続可能である。
【００１４】
図１ａにおいて、円で取り囲まれた領域は、その側方に拡大図で示されている。接続ピン９は、取付け区分１９（図４）を介して、フロントパネル２ａの背面に組み付けることができ、保持区分１０を有していて、この保持区分は、接続部材１１と、ネック１２を介して接続された頭部１３とを含む。接続部材１１は、この実施形態では使用されていない。これに対し、接続ピン９の頭部１３は、第２の取付け装置８ｂの、可動に支持された少なくとも１つの係止エレメント１４によって摩擦接続的にかつ／または形状接続的に係止されているので、フロントパネル２ａは、フロントパネル２ａに予め取り付けられた保持部分７に係止されている、（下方の）第１の取付け装置８ａによる固定に加えて付加的に、引出し壁３ａに接続される。
【００１５】
図１ｂには、図１ａによる引出し１の構成が示されており、この場合、中空室成形体として形成された引出し壁３ａが挿入されている。引出し壁３ａは、この場合、実質的に、背壁４と同じ高さを有している。すなわち引出し壁３ａは、比較的高い引出し壁３ａであり、これにより引出し１の収容容積は拡大されている。
【００１６】
図２ａには、第２の引出し１の部分領域が示されており、この第２の引出しは、引出し底面５と、フロントパネル２ａの形態の第１の家具部分２と、側方の引出し壁１５と、背壁４とを有している。この引出し壁１５は、この場合、図１ｂに示した引出し壁３ａの半分の高さよりも低い高さを有していてよい。引出し壁１５も、内側の成形壁と外側の成形壁とを有した中空室成形体として形成されていて、突起６ａを有した背壁ホルダ６を有しており、突起は組み付け状態で、背壁４に設けられた対応する切欠１６（図３ａ）に係合する。引出し壁１５は、図１ａ、図１ｂに示したように、フロントパネル２ａに取り付けるべき保持部分７に取り外し可能に係止可能である第１の取付け装置８ａを含む。フロントパネル２ａの背面には、接続ピン９を組み付けることができ、この接続ピンは、第２の家具部分３に、この場合、引出し壁１５の上方に配置された引出しレール３ｂに接続可能である。引出しレール３ｂの組み付け状態は図２ｂに示されている。したがって、１つの同じ接続ピン９を、図１ｂに示した引出し壁３ａにも、図２ｂに示した引出しレール３ｂにも接続することができる。
【００１７】
図３ａには、第３の引出し１が示されており、この第３の引出しは、引出し底面５と、背壁４と、フロントパネル２ａと、中空室成形体として形成された引出し壁１５とを有していて、この引出し壁１５は、図２ａ、図２ｂに示した低い引出し壁１５と同じ高さを有していてよい。引出し壁１５は、前方の端部領域に、フロントパネル２ａに取り付けるべき保持部分７（図１ａ）に取り外し可能に係止するための第１の取付け装置８ａを有している。第２の家具部分３は、この実施形態では壁エレメント３ｃによって形成されており、この壁エレメントは、側方の引出し壁１５上に、場合によってはギャップを形成して、載置されている。壁エレメント３ｃは、内側および外側の成形壁を有した中空室成形体として形成されていてよい。図３ａには、壁エレメント３ｃの第２の取付け装置８ｂのみが示されている。壁エレメント３ｃの組付けのために、壁エレメント３ｃはまず前端面で接続ピン９に被せ嵌められ、次いで、下方に向かう垂直運動により引出し壁１５上に載置され、この場合、壁エレメント３ｃの対応輪郭１７を、接続ピン９の接続部材１１内へと導入可能である。このようにして壁エレメント３ｃは、組み付け状態で接続ピン９に形状接続的に接続可能である。さらに、壁エレメント３ｃは少なくとも１つの対応ストッパ１８を有していて、この対応ストッパは、組み付け状態で、頭部１３の下面に当接し、壁エレメント３ｃを長手方向で摩擦接続的に固定する。図３ｂには、引出し１に組み付けられた壁エレメント３ｃが示されており、壁エレメント３ｃの上面は、背壁の上面と同一平面を成している。
【００１８】
図４には、様々な第２の家具部分３の図が、高い引出し壁３ａの形態、低い引出し壁１５の上方に配置される引出しレール３ｂの形態、ならびに低い引出し壁１５上に載置された壁エレメント３ｃの形態で、示されている。高い引出し壁３ａと、低い両引出し壁１５とは、前方の端部領域に、フロントパネル２ａに取り付けるべき保持部分７（図１ａ）にそれぞれ取り外し可能に係止可能であるそれぞれ１つの第１の取付け装置８ａを有している。この第１の取付け装置８ａはそれぞれ底面近傍に（すなわち、引出し底面５に隣接した位置に）配置されている。この第１の取付け装置８ａ上方に第２の取付け装置８ｂが位置していて、第２の取付け装置はそれぞれ４つの異なる形式の接続ピン９に形状接続的にかつ／または摩擦接続的に係止可能である。
【００１９】
図示した４つの接続ピン９のうちの第１の（最も上方の）接続ピンは、頭部１３と、ネック１２と、接続部材１１と、ダボ２０の形態の取付け区分１９とを含み、この取付け区分１９は保持区分１０（図１ａ）と共に一体的に形成されている。ダボ２０は、第１の家具部分２に設けられた孔２６内にプレス嵌めすることができる。
【００２０】
接続ピン９の第２の実施形態では、取付け区分１９はねじ山２１を有しており、このねじ山は、接続ピン９を取り付けるために第１の家具部分２内へとねじ込み可能である。
【００２１】
接続ピン９の第３の実施形態では、ダボ２０が保持区分１０（図１ａ）にジョイント軸２２を介して旋回可能に接続されており、接続ピン９は、ダボ２０を拡開するための拡開部分２３を有していて、この拡開部分２３は、ジョイント軸２２を中心とした保持区分１０の旋回運動により移動可能であり、これによりダボ２０が拡開位置へと移動可能であり、これにより第１の家具部分２に設けられた孔２６の内側でロック可能である。拡開可能なダボ２０のこのような機能性は、本出願人による例えば欧州特許出願公開第０６９８３５７号明細書（EP 0 698 357 A1）に開示されている。
【００２２】
接続ピン９の第４の実施形態では、頭部１３は、取付け区分１９に取り外し可能に、好適にはスナップ結合部２４により接続可能である。ダボ２０またはねじ山２１の代わりに、接続ピン９を、旋回可能なレバー２５によって（例えば内側を抜粋して示した）フロントパネル２ａに取り付けることもでき、この場合、レバー２５は、接続ピン９の組み付け状態で接続部材１１に係合し、ひいては接続ピン９を形状接続によりフロントパネル２ａにロックする。
【００２３】
本発明による引出しセットは、以下の３つの異なる第２の家具部分３、すなわち：
フロントパネル２ａを取り付けるための第１の取付け装置８ａと、フロントパネル２ａを取り付けるための少なくとも１つの第２の取付け装置８ｂとを備えた第１の引出し壁３ａ、
第１の引出し壁３ａよりも低い高さを有している第２の引出し壁１５であって、フロントパネル２ａを取り付けるための第１の取付け装置８ａを有しており、組み付け状態で第２の引出し壁１５の上方に配置される、フロントパネル２ａに取り付けるための引出しレール３ｂを備え、この引出しレール３ｂは、フロントパネル２ａを取り付けるための第２の取付け装置８ｂを有している、第２の引出し壁１５、
第１の引出し壁３ａよりも低い高さを有している第３の引出し壁１５であって、この第３の引出し壁１５上には壁エレメント３ｃが載置されており、第３の引出し壁１５は、フロントパネル２ａを取り付けるための第１の取付け装置８ａを有しており、壁エレメント３ｃはフロントパネル２ａに取り付けるための第２の取付け装置８ｂを有している、第３の引出し壁１５、
のうちの少なくとも２つと、
フロントパネル２ａに取り付けることができ、少なくとも１つの保持区分１０を有している接続ピン９であって、この接続ピン９の同じ保持区分１０は、３つの異なる第２の家具部分３のうちの少なくとも２つの第２の家具部分の第２の取付け装置８ｂに選択的に接続可能である、接続ピン９と、
を有している。
【００２４】
図５には、１つの接続ピン９の実施例が斜視図で示されている。接続ピン９は、第１の家具部分２に取り付けるための、例えばダボ２０を備えた取付け区分１９を有している。保持区分１０は、第２の家具部分３に接続するために設けられていて、第２の家具部分３を接続ピン９に形状接続的に接続するための接続部材１１と、ネック１２を介して長手方向（Ｌ）で間隔を置いて位置する頭部１３とを含み、この場合、選択的に少なくとも２つの異なる第２の家具部分３を、接続部材１１によって形状接続的に、かつ／または頭部１３によって摩擦接続的に、接続ピン９に接続することができる。接続部材１１は、好適にはウェブとして形成されている第１の突起２７ａと、好適にはウェブとして形成されている少なくとも１つの第２の突起２７ｂとを有しており、この場合、第１の突起２７ａと第２の突起２７ｂとはそれぞれ接続ピン９から横方向に突出しており、接続ピン９の長手方向（Ｌ）で、例えば円筒状の区分の形状の凹部２７ｃによって互いに離間されている。この場合、第１の突起２７ａおよび／または第２の突起２７ｂおよび／または円筒状の区分および／または頭部１３は、長手方向軸線（Ｌ）を中心として回転対称的に形成されており、これにより接続ピン９を特に簡単に製造することができる。円筒状の区分は、第１の突起２７ａおよび第２の突起２７ｂに対して減じられた直径を有していてよい。第１の突起２７ａおよび／または第２の突起２７ｂはリング状ウェブとして形成されていてよく、凹部２７ｃはリング状溝として形成されていてよい。第１の突起２７ａは第２の家具部分３を、長手方向（Ｌ）に対して横方向に延びる方向で固定し、第２の家具部分３は、長手方向（Ｌ）では、凹部２７ｃによって接続ピン９に対して相対的に固定されている。
【００２５】
第２の家具部分３に摩擦接続的に接続するための頭部１３は、ネック１２よりも大きな直径を有しており、好適には、長手方向軸線（Ｌ）に対して垂直に延在するストッパ面１３ａと、リング状の区分１３ｂと、頭部１３の先端に向かって延在する傾斜面１３ｃとを有している。さらに、頭部１３には工具保持部１３ｄが設けられていてよく、工具によって工具保持部１３ｄを回転させることにより、接続ピン９のねじ山２１を第１の家具部分２内にねじ込むことができる。図５に示された矢印（Ｆ）はそれぞれ、第２の家具部分３の組み付け状態で、摩擦接続的接続および形状接続的接続が有効に生じる、保持区分１０の領域を示している。
【００２６】
図６ａは、高い側壁３ａを示しており、この高い側壁は、高さ方向で互いに間隔を置いて配置された２つの取付け装置８ａ，８ｂを有している。第２の（上方の）取付け装置８ｂは、接続ピン９に取り外し可能に係止可能である。図６ｂは、図６ａによる第２の取付け装置８ｂの拡大された詳細図を示しており、この取付け装置は、ばね的な、またはばねによって負荷された少なくとも１つの係止エレメント１４を有していて、この係止エレメント１４は、接続ピン９の保持区分１０に取り外し可能に接続可能、好適には係止可能である。この場合、接続ピン９は、挿入方向２９で第２の取付け装置８ｂ内に導入可能であって、係止エレメント１４は、接続ピン９が第２の取付け装置８ｂ内に進入することにより、挿入方向２９に対して横方向に延びる方向で係止エレメント１４のばね作用に抗して移動可能であり、接続ピン９は、挿入方向２９での前進運動により、係止エレメント１４のばね作用により自動的に係止可能である。図６ｂに示した実施例では、係止エレメント１４は回転軸線２８を中心として旋回可能に支持されていて、（図示されていない）ばねエレメントによって予荷重をかけられており、接続ピン９の導入の際に、係止エレメント１４の傾斜面１４ａが、頭部１３の傾斜面１３ｃと協働し、これにより係止エレメント１４が回転軸線２８を中心として反時計回りで傾動し、引き続き行われる係止エレメント１４の再スナップ結合により、接続ピン９を係止することができる。係止位置で、係止エレメント１４は頭部１３のストッパ面１３ａに当接し、これにより接続ピン９は摩擦接続的に位置固定されている。
【００２７】
図６ｃには、引出しレール３ｂが示されており、この引出しレールは、前方の端部領域に、接続ピン９を取り付けるための第２の取付け装置８ｂを有している。図６ｄには、第２の取付け装置８ｂが拡大されて示されている。図示した実施例では、係止エレメント１４は２つのばね舌片を有しており、これらばね舌片は、第２の取付け装置８ｂ内への接続ピン９の導入の際に、そのばね作用に抗して、挿入方向２９に対して横方向に延びる方向で弾性的に曲げ可能であり、挿入方向２９での接続ピン９の前進移動により、前記ばね舌片は再びスナップ式に戻されてこれにより接続ピン９を摩擦接続的に位置固定する。図示した組付け位置では、ばね舌片の自由端部は、頭部１３のストッパ面１３ａに当接している。
【００２８】
図６ｅには、引出し壁１５上に載置された壁エレメント３ｃが示されていて、この壁エレメント３ｃは、前方の端部領域に第２の取付け装置８ｂを有している。図６ｆには、第２の取付け装置８ｂが拡大されて示されている。図６ａ〜図６ｄに示した構成とは異なり、この場合、壁エレメント３ｃは端面で接続ピン９に被せ嵌められ、次いで、上方から（すなわち、引出し壁１５へと下方に向かう、壁部分３ｃの垂直運動により）接続ピン９の保持区分１０上に被せ嵌められ、この場合、壁部分３ｃの対応輪郭１７を、接続ピン９の接続部材１１内へと導入可能であって、これにより壁エレメント３ｃと接続ピン９との間の形状接続が形成される。対応ストッパ１８（図３ａも参照）は、頭部１３のストッパ面１３ａに当接することができ、場合によってはストッパ面１３ａから僅かに離間されていてよい。例えば人が引出し１のフロントパネル２ａを急に引いた場合、接続ピン９のストッパ面１３ａは、壁部分３ｃの対応ストッパ１８に当接し、このような過負荷時に第２の取付け装置８ｂから接続ピン９が滑脱することが阻止される。
【００２９】
図７ａには、低い引出し壁１５と、その上に配置すべき壁エレメント３ｃとの前方の端部領域が示されている。引出し壁１５の第１の（下方の）取付け装置８ａは、フロントパネル２ａの背面に取り付けられる、高さ方向で互いに離間された２つの取付けアンカ７ａ，７ｂを有する保持部分７に、取り外し可能に係止可能である。引出し壁１５の上面には開口３２が設けられていて、この開口に壁エレメント３ｃがフック３１を介して係止可能である。壁エレメント３ｃはその端面にキー溝３０を有しており、このキー溝を通して、やや斜めに傾けられた壁エレメント３ｃを、予め組み付けられた接続ピン９上に被せ嵌めることができる。壁エレメント３ｃの組み付けは、図７ｂ〜図７ｄに示されている。壁エレメント３ｃを接続ピン９（図７ｂ、図７ｃ）上に被せ嵌めた後、手動で力を加えることにより、壁エレメント３ｃを、上方に向かって減径するキー溝３０に沿って、壁エレメント３ｃの対応輪郭１７が接続ピン９の接続部材１１内に係合し、形状接続が形成されるまで、下方へと摺動させる。
【図１ａ】
0006840258.tif 000002
【図１ｂ】
0006840258.tif 000003
【図２ａ】
0006840258.tif 000004
【図２ｂ】
0006840258.tif 000005
【図３ａ】
0006840258.tif 000006
【図３ｂ】
0006840258.tif 000007
【図４】
0006840258.tif 000008
【図５】
0006840258.tif 000009
【図６ａ−６ｂ】
0006840258.tif 000010
【図６ｃ−６ｄ】
0006840258.tif 000011
【図６ｅ−６ｆ】
0006840258.tif 000012
【図７ａ】
0006840258.tif 000013
【図７ｂ】
0006840258.tif 000014
【図７ｃ】
0006840258.tif 000015
【図７ｄ】
0006840258.tif 000016